(57)【特許請求の範囲】
【請求項１】
複数の細孔を有する、少なくとも１つのメッシュ材料を含む少なくとも１つの噴霧器と、
前記少なくとも1つの噴霧器に連結し、設定されたエネルギープロファイルに従って動力付与したときに超音波振動を生成するように構成された、少なくとも１つの振動アクチュエータと、
局所製剤を保持する、少なくとも１つのリザーバを収容するように構成された、少なくとも１つのリザーバ収容装置であって、前記少なくとも１つのリザーバが、収容されたときに前記少なくとも１つの噴霧器に連結され、前記少なくとも１つの噴霧器が前記局所製剤と接触して配置されるとき、前記設定されたエネルギープロファイルに従って、前記少なくとも１つの振動アクチュエータによって、前記少なくとも１つの噴霧器のメッシュの振動が、前記複数の細孔から前記局所製剤の液滴を排出し、スプレーを形成する前記リザーバ収容装置と
を含む器具であって、
前記エネルギープロファイルは、前記少なくとも１つの振動アクチュエータの駆動周波数を決定し、これは、前記局所製剤の１以上のレオロジー特性に相関し、
前記少なくとも１つの噴霧器のうちの単一の噴霧器は、少なくとも１つの前記メッシュ材料とは異なる、複数の異なるメッシュ材料部分を含み、前記メッシュ材料部分は、異なる特性を有する複数の細孔を各々備え、前記異なるメッシュ材料部分は、所定のパターンで前記少なくとも１つのメッシュ材料上に散乱している、器具。
【請求項２】
前記局所製剤の１つ以上のレオロジー特性を示す１つ以上の入力に従って前記エネルギープロファイルを設定するように構成された回路をさらに含む、請求項１に記載の器具。
【請求項３】
前記少なくとも１つのリザーバに含まれる局所製剤を用いてインピーダンススペクトルシステムを感知するように構成された回路をさらに含み、また前記処理回路は前記感知されたインピーダンススペクトルに基づいて前記エネルギープロファイルを設定するように構成されている、請求項２に記載の器具。
【請求項４】
前記エネルギープロファイルが前記局所製剤の前記１つ以上のレオロジー特性に関連する所定のパワースペクトルに基づいて設定される、請求項２に記載の器具。
【請求項５】
前記少なくとも１つのリザーバからの情報を読み取るように構成されたリーダと、前記リーダから得られた前記情報に基づいて前記エネルギープロファイルを設定するように構成される回路をさらに含む、請求項１に記載の器具。
【請求項６】
前記リーダが、前記少なくとも１つのリザーバに取り付けられた無線周波数識別（ＲＦＩＤ）タグで近距離通信（ＮＦＣ）を介して前記情報を取得するように構成された無線周波数識別（ＲＦＩＤ）リーダである、請求項５に記載の器具。
【請求項７】
前記リーダが、前記少なくとも１つのリザーバに取り付けられたバーコードをスキャンして前記情報を取得するように構成されたバーコードリーダである、請求項５に記載の器具。
【請求項８】
前記リーダが、前記少なくとも１つのリザーバに取り付けられた集積回路を介して前記情報を取得するように構成された接触リーダである、請求項５に記載の器具。
【請求項９】
前記少なくとも１つの噴霧器が少なくとも２つの別々の噴霧器を含み、前記少なくとも１つの振動アクチュエータは、前記少なくとも２つの別々の噴霧器に連結された、少なくとも２つの異なる振動アクチュエータを含む、請求項１に記載の器具。
【請求項１０】
前記少なくとも１つのリザーバが、前記２つの別々の噴霧器にそれぞれ連結された２つの異なるリザーバを含み、前記２つの別々の噴霧器は、異なるそれぞれの局所製剤を保持する、請求項９に記載の器具。
【請求項１１】
前記異なる局所製剤のそれぞれが異なるレオロジー特性を有し、前記２つの別々の噴霧器の、噴霧器各々に連結された前記振動アクチュエータが、前記異なるレオロジー特性に基づいて異なる設定されたエネルギープロファイルに従って動力付与されるときに異なる超音波振動を生成するように構成される、請求項１０に記載の器具。
【請求項１２】
前記２つの別々の噴霧器が各々互いに異なる細孔特性を備えるメッシュ材料部分を有する、請求項９に記載の器具。
【請求項１３】
局所製剤カートリッジを検出し、前記局所製剤カートリッジ内の製剤のレオロジー特性を示す１つ以上の入力に応答する噴霧器制御情報を生成するように構成された回路
をさらに含む、請求項１に記載の器具。
【請求項１４】
暗号化及び匿名化された情報をリモートネットワークと交換するように構成された回路
をさらに含む、請求項１に記載の器具。
【請求項１５】
暗号化及び匿名化された情報をクライアント装置と交換するために前記クライアント装置と通信するように構成された回路
をさらに含む、請求項１に記載の器具。
【請求項１６】
クライアント装置と、暗号化された情報を交換し噴霧器制御情報を交換するために、前記クライアント装置と通信するように構成された回路
をさらに含む、請求項１に記載の器具。
【請求項１７】
複数の細孔を有するメッシュ材料を含む少なくとも１つの噴霧器と、
前記少なくとも１つの噴霧器に連結し、設定されたエネルギープロファイルに従って動力付与したときに超音波振動を生成するように構成される振動アクチュエータと、
局所製剤を保持するリザーバを収容するように構成されたリザーバ収容装置であって、前記リザーバが、収容されたときに前記少なくとも１つの噴霧器に連結される、前記収容装置と
を含む少なくとも１つの噴霧器を有する器具によって実施される方法であって、
前記局所製剤と接触するように前記噴霧器を露出させることと、
前記設定されたエネルギープロファイルに従って前記振動アクチュエータを制御し、前記少なくとも１つの噴霧器のメッシュの振動を生じさせて前記複数の細孔から前記局所製剤の液滴を排出し、スプレーを形成することと
を含む方法であって、
前記エネルギープロファイルは、前記振動アクチュエータの駆動周波数を決定し、これは、前記局所製剤の１以上のレオロジー特性に相関し、
前記少なくとも１つの噴霧器のうちの単一の噴霧器は、少なくとも１つの前記メッシュ材料とは異なる、複数の異なるメッシュ材料部分を含み、前記メッシュ材料部分は、異なる特性を有する複数の細孔を各々備え、前記異なるメッシュ材料部分は、所定のパターンで前記少なくとも１つのメッシュ材料上に散乱している、方法。
【請求項１８】
前記局所製剤の１つ以上のレオロジー特性を示す１つ以上の入力に従って前記エネルギープロファイルを設定することをさらに含む、請求項１７に記載の方法。
【請求項１９】
前記リザーバに含まれる局所製剤を用いてインピーダンススペクトルシステムを感知することと、感知されたインピーダンススペクトルに基づいて前記エネルギープロファイルを設定することとをさらに含む、請求項１８に記載の方法。
【請求項２０】
前記エネルギープロファイルが前記局所製剤の前記１つ以上のレオロジー特性に関連する所定のパワースペクトルに基づいて設定される、請求項１９に記載の方法。
【請求項２１】
前記リザーバからの情報を、リーダを利用して読み取ることと、
前記読み取られた情報に基づいて前記エネルギープロファイルを設定することと
をさらに含む、請求項１７に記載の方法。
【請求項２２】
前記リーダが、前記リザーバに取り付けられた無線周波数識別（ＲＦＩＤ）タグで近距離通信（ＮＦＣ）を介して前記情報を取得するように構成された無線周波数識別（ＲＦＩＤ）リーダである、請求項２１に記載の方法。
【請求項２３】
前記リーダが、前記リザーバに取り付けられたバーコードをスキャンして前記情報を取得するように構成されたバーコードリーダである、請求項２１に記載の方法。
【請求項２４】
前記リーダが、前記リザーバに取り付けられた集積回路を介して前記情報を取得するように構成された接触リーダである、請求項２１に記載の方法。
【発明の詳細な説明】
【技術分野】
【０００１】
関連出願の相互参照
本願は、２０１７年３月３１日に提出された米国特許出願第１５／４７５，７２４号の利益に関連し、請求するものであり、その内容全体は本明細書に参照により組み込まれる。
【背景技術】
【０００２】
本開示は、超音波局所用アプリケータを含むスキンケアで使用するパーソナルケア電気機器について説明する。
【発明の概要】
【０００３】
実施形態では、複数の細孔を有するメッシュ材料を含む少なくとも１つの噴霧器；噴霧器に連結し、設定されたエネルギープロファイルに従って動力付与したときに超音波振動を生成するように構成された振動アクチュエータ；局所製剤を保持するリザーバを収容するように構成されたリザーバ収容装置であって、リザーバが、収容されたときに噴霧器に連結され、噴霧器が局所製剤と接触して配置されるとき、設定されたエネルギープロファイルに従って、振動アクチュエータによって、メッシュ噴霧器の振動が、複数の細孔から局所製剤の液滴を排出し、スプレーを形成するリザーバ収容装置を含む器具が提供される。
【０００４】
実施形態では、器具はさらに、局所製剤の１つ以上のレオロジー特性を示す１つ以上の入力に従ってエネルギープロファイルを設定するように構成された回路を含む。
【０００５】
実施形態では、器具は、リザーバに含まれる局所製剤のインピーダンススペクトルシステムを感知するように構成された回路をさらに含み、また処理回路は感知されたインピーダンススペクトルに基づいてエネルギープロファイルを設定するように構成されている。
【０００６】
実施形態では、エネルギープロファイルが局所製剤の１つ以上のレオロジー特性に関連する所定のパワースペクトルに基づいて設定される。
【０００７】
実施形態では、器具は、リザーバからの情報を読み取る構成のリーダをさらに含み、処理回路は、リーダから得られた情報に基づいてエネルギープロファイルを設定するように構成される。
【０００８】
実施形態では、リーダが、リザーバに取り付けられた無線周波数識別（ＲＦＩＤ）タグで近距離通信（ＮＦＣ）を介して情報を取得するように構成された無線周波数識別（ＲＦＩＤ）リーダである。
【０００９】
実施形態では、リーダは、リザーバに取り付けられたバーコードをスキャンして情報を取得するように構成されたバーコードリーダである。
【００１０】
実施形態では、リーダは、リザーバに接着された集積回路を介して情報を取得するように構成された接触リーダである。
【００１１】
実施形態では、少なくとも１つの噴霧器が少なくとも２つの異なる振動アクチュエータに連結された少なくとも２つの別々の噴霧器を含む。
【００１２】
実施形態では、２つの別々の噴霧器が、異なるそれぞれの局所製剤を保持する異なるそれぞれのリザーバを収容するように構成された２つの異なるリザーバ収容装置に連結される。
【００１３】
実施形態では、異なる局所製剤のそれぞれが異なるレオロジー特性を有し、噴霧器各々に連結された振動アクチュエータが、異なるレオロジー特性に基づいて異なる設定されたエネルギープロファイルに従って動力付与されるときに異なる超音波振動を生成するように構成される。
【００１４】
実施形態では、２つの別々の噴霧器が各々互いに異なる細孔特性を備えるメッシュ材料部分を有する。
【００１５】
実施形態では、少なくとも１つの噴霧器が、異なる特性を有する複数の細孔を各々備える複数の異なるメッシュ材料部分を含む。
【００１６】
実施形態では、器具は、局所製剤カートリッジを検出し、局所製剤カートリッジ内の製剤のレオロジー特性を示す１つ以上の入力に応答する噴霧器制御情報を生成するように構成された回路をさらに含む。
【００１７】
実施形態では、器具はさらに、暗号化及び匿名化された情報をリモートネットワークと交換するように構成された回路を含む。
【００１８】
実施形態では、器具はさらに、暗号化及び匿名化された情報をクライアント装置と交換するためにクライアント装置と通信するように構成された回路を含む。
【００１９】
実施形態では、器具はさらに、クライアント装置と暗号化された情報を交換するため及び噴霧器制御情報を交換するために、クライアント装置と通信するように構成された回路を含む。
【００２０】
実施形態では、複数の細孔を有するメッシュ材料と、噴霧器に連結し、設定されたエネルギープロファイルに従って動力付与したときに超音波振動を生成するように構成される振動アクチュエータと、局所製剤を保持するリザーバを収容するように構成されたリザーバ収容装置であって、リザーバが、収容されたときに噴霧器に連結される、収容装置とを含む少なくとも１つの噴霧器を有する器具によって実施される方法であって、局所製剤と接触するように噴霧器を露出させることと、設定されたエネルギープロファイルに従って振動アクチュエータを制御し、メッシュ噴霧器の振動を生じさせて複数の細孔から局所製剤の液滴を排出し、スプレーを形成することとを含む方法が提供される。
【００２１】
実施形態では、この方法は、局所製剤の１つ以上のレオロジー特性を示す１つ以上の入力に従ってエネルギープロファイルを設定することをさらに含む。
【００２２】
実施形態では、この方法は、リザーバに含まれる局所製剤を用いてインピーダンススペクトルシステムを感知することと、感知されたインピーダンススペクトルに基づいてエネルギープロファイルを設定することとをさらに含む。
【００２３】
添付の図面と関連させて考慮されるときに、以下の詳細な説明を参照してよりよく理解すると、開示された実施形態及びその多くの付随的な利点のより完全に近い理解が容易に得られる。
【図面の簡単な説明】
【００２４】
【図１−１】図１Ａは、例に従って、開口部、メッシュ噴霧器、及びユーザ制御インターフェイスを有するハウジングを含む超音波局所剤アプリケータの正面図である。図１Ｂは、例に従って、局所剤、コントローラ、電源、及び回路を保持するためのリザーバを有するカートリッジを含む内部の構成要素を示す超音波局所剤アプリケータの側面図である。
【図１−２】図１Ｃは、例に従って、開口部、第１のメッシュ噴霧器、第２のメッシュ噴霧器、及びユーザ制御インターフェイスを有するハウジングを含む超音波局所剤アプリケータの正面図である。図１Ｄは、所定の局所剤、及び所定の局所剤をエンコードまたは示すように構成された識別子を含むリザーバを有するカートリッジの断面図を示す。
【図２−１】図２Ａは、例に従って均一なメッシュを有するメッシュ噴霧器の上面図部である。図２Ｂは、例に従って均一なメッシュを有するメッシュ噴霧器の側面図である。図２Ｃは、例に従って第１のメッシュと第２のメッシュを有するメッシュ噴霧器の上面図である。図２Ｄは、例に従って第１のメッシュと第２のメッシュを有するメッシュ噴霧器の側面図である。
【図２−２】図２Ｅは、別の例に従ってハイブリッドメッシュを有するメッシュ噴霧器の上面図である。図２Ｆは、例に従ってハイブリッドメッシュを有するメッシュ噴霧器の側面図である。図２Ｇは、別の例に従って複数のメッシュを有するメッシュ噴霧器の上面図である。
【図３】図３Ａは、例に従って、電源から第１のメッシュを有するメッシュ噴霧器に送達されるエネルギーを制御するように構成された第１の局所剤で充填されたリザーバを有するカートリッジを含む超音波局所剤アプリケータの図面を示す。図３Ｂは、例に従って、電源から第２のメッシュを有するメッシュ噴霧器に送達されるエネルギーを制御するように構成された第２の局所剤で充填されたリザーバを有するカートリッジを含む超音波局所剤アプリケータの図面を示す。
【図４】例に従って異なるレオロジー特性を有する局所剤のセットに対するパワースペクトルのグラフを示す。
【図５−１】図５Ａは、例に従って局所剤を分配する方法を記載するフロー図である。図５Ｂは、例に従って組み合わせた局所剤及び噴霧器のインピーダンススペクトルを検出することに基づいて局所剤を分配する方法を記載するフロー図である。
【図５−２】図５Ｃは、例に従ってカートリッジの種類に基づいて局所剤を分配する方法を記載するフロー図である。図５Ｄは、例に従ってカートリッジのステータスに基づいて局所剤を分配する方法を記載するフロー図である。
【発明を実施するための形態】
【００２５】
超音波メッシュ噴霧器技術は、アプリケータ、肺吸入器、ホームミスト、及び小さな粒度、より大きな分配または表面被覆率用の微細なスプレーを提供することを意図した他の装置で利用されている。超音波局所剤アプリケータ装置は、局所剤のレオロジー特性に基づいた局所用の液／化粧料の分配のために提供される。
【００２６】
局所剤の多くの一般的に使用される材料及び製剤は、その粘度及び粘弾性が、応力、ひずみ、タイムスケール、及び温度などの適用される外的条件に応じて変化し得る複雑なレオロジー特性を示すことがある。充填剤を含む局所剤のレオロジー特性は、充填剤の種類と量だけでなく、その粒子の形状、サイズ、サイズ分布によっても決定される。局所剤の例としては、流体、化粧品、日焼け止め、香水、撥水剤などが含まれる。例では、局所剤は、公知の粘度または局所剤の粘度を備えることができる。レオロジー特性の例としては、粘度、密度、表面張力、濡れ角、せん断速度、疎水性、及び親水性が挙げられる。
【００２７】
例では、超音波局所剤アプリケータ装置は、エネルギープロファイルで動力付与したときに超音波振動を生成するように構成された振動アクチュエータに接続された薄い金属メッシュを有するメッシュ噴霧器を含む。メッシュ噴霧器の表面が置かれて局所剤に接触すると、メッシュ噴霧器の振動が複数の細孔から局所剤の液滴を排出し、スプレーを形成するように構成される。エネルギープロファイルは、局所剤のレオロジー特性に基づくことが可能である。
【００２８】
これより図面を参照するが、図面では類似した参照数字が、複数の図面全体で同一または対応する部分を指定している。
【００２９】
図１Ａは、超音波局所剤アプリケータ（ＵＴＡ）装置１００の正面図の描画であり、この装置はハウジング１１０を含み、これは開口部１１２、複数の細孔を有するメッシュ噴霧器１２０、局所剤を保持するためのリザーバを有するカートリッジ１３０を含む。例では、ハウジング１１０は、使用者の入力を受信するように構成されたユーザ制御インターフェイス１１４、使用者への通知を示すように構成されている標識１１６（図示せず）を有することができる。図１Ｂに示すように、ＵＴＡ装置１００ａはさらに、電源１５０と通信するコントローラ１４０、及び電気部品を接続するように構成された回路１４２、１４４を含む。例では、ＵＴＡ装置１００は、コントローラ１４０を使用してスプレー３２０（図３Ａ〜３Ｂを参照）を排出するように構成され、電源１５０からメッシュ噴霧器１２０に送達されるエネルギープロファイル１８０を制御する。メッシュ噴霧器１２０は、レオロジー特性を有する局所剤で満たされたリザーバを有するカートリッジ１３０に連結される。図１Ｂに示すカートリッジは、カートリッジ内部の局所剤の特定の局所的または特定のレオロジー特性を識別するために使用することができるタグ（図示せず）を含む。コントローラ１４０に連結されたリーダ１６０は、タグによって伝達される情報を得るために使用され得る。タグは、コントローラがデータを取得できるＲＦＩＤタグであってよく、リーダ１６０は、当技術分野で理解されているように、近距離通信（ＮＦＣ）技術を利用するコントローラ１４０に連結されたＲＦＩＤリーダであってもよい。タグはまた、バーコードを含んでもよく、リーダ１６０は、バーコードリーダ（当技術分野で理解されているように、コントローラ１４０に連結されていない）であってもよい。リーダ１６０は、当技術分野にて理解されているように、リザーバに接続された集積回路を介して情報を取得するように構成された接触リーダであってもよい。
【００３０】
図１Ｃは、ハウジング１１０ｂを含むＵＴＡ装置１００ｂの代替的な実施形態を示す。ハウジング１１０ｂは、２つの開口部１１２ａ及び１１２ｂ、及び２つのメッシュ噴霧器１２０ａ及び１２０ｂをそれぞれ収容する。２つのメッシュ噴霧器を使用して、２つの異なるカートリッジ１３０をそれに連結でき、それぞれのレオロジー特性に基づいた２つの異なるエネルギープロファイルに基づいてコントローラ１４０により噴霧されるように制御される２つの異なる局所剤を提供するようにする。図１Ｂについて上述したように、２つの異なるタグを、１つ以上のリーダ１６０の各カートリッジ及びリーダに対して添えてもよい。
【００３１】
図１Ｄに示す別の実施形態では、感知回路１７０は、カートリッジ内に配置される局所剤のレオロジー特性を決定するように構成されたカートリッジの近くに配置されてもよい。このタイプのセンサを使用すると、カートリッジに関連付けられたタグの正確なまたは専売のラベルまたはＲＦＩＤコーディングに依存することなく、局所剤を検出できる。
【００３２】
例えば、感知回路１７０は、局所剤と接触する噴霧器の組み合わされたシステムインピーダンスを検出するように構成されている。このタイプの回路により、カートリッジに関連付けられたタグの正確なまたは専売のラベリングまたはＲＦＩＤコーディングに依存することなく、エネルギープロファイルを決定できる。エネルギープロファイルは、カートリッジの局所剤のレオロジー特性に相関することができ、以下に説明する噴霧器の振動アクチュエータの駆動周波数を決定するために使用することができる。図４を参照しながら、異なるレオロジー特性を有する局所剤のセットに対するパワースペクトルのグラフを以下に説明する。インピーダンス検出回路は、システムを介して電気信号を送信し、規定されたバンド内の周波数範囲をスイープし、各周波数でのシステムインピーダンスを測定する。最も低いシステムインピーダンスに対応する周波数は、システムに最適な駆動周波数である。次に、装置を駆動するエネルギープロファイルは、インピーダンス検出回路によって見出された周波数で動作するように変更される。
【００３３】
いくつかの実装形態では、ハウジング１１０は、アクチュエータ、バルブ、制御可能な開口部、電気機械オリフィス、開口部ダイヤフラム、電気機械ポートなどの１つ以上を含むことができる。例では、ハウジング１１０は、噴霧器を制御するための１つ以上の電子発振器、超音波振動メッシュ、電気機械スプレーバルブなどを含むことができる。例では、開口部１１２は、スプレーを一方向または別の方向に導くことができるノズルとして作用することができる（図示せず）。
【００３４】
メッシュ噴霧器
いくつかの実装形態では、メッシュ噴霧器１２０は、メッシュ部２１２と振動アクチュエータ２２０を有する穿孔板２１０から作製することができる。例では、穿孔板２１０のメッシュ２１２は、穿孔板２１０を貫通する複数の細孔から作製することができる。例では、穿孔板２１０は、超音波周波数で振動するように構成された薄い金属、ポリマーまたはセラミックから作製することができる。例では、メッシュ噴霧器１２０は、Ｓｔｅｉｎｅｒ  ＆  Ｍａｒｔｉｎｓ，ＩＮＣ．（ドラル、フロリダ州）から得る微多孔アトマイザー高出力メッシュにすることができる。別の例では、メッシュ噴霧器１２０は、Ｓｈｅｎｚｈｅｎ  Ｈｕｒｒｉｃａｎｅ（中国）から得る超音波噴霧器にすることができる。別の例では、メッシュ噴霧器１２０は、ＭｉｃｒｏＢａｓｅ  Ｔｅｃｈｎｏｌｏｇｙ  Ｃｏｒｐ．（台湾）から得る超音波アトマイザーにすることができる。
【００３５】
態様では、各細孔は、局所剤の漏出を防ぐように構成することができる。例では、各細孔は、局所剤のレオロジーに基づいて局所剤を排出するように構成することができる。例では、各細孔は、直径５μ〜２０μの円形形状を有することができる。例では、複数の細孔を、穿孔板２１０にレーザー掘削することができる。別の例では、穿孔板２１０は、マイクロエレクトロメカニカルシステム（ＭＥＭＳ）処理技術を用いて複数の細孔を有するように製造することができる。
【００３６】
図２Ａ〜２Ｂはそれぞれ、例に従ったディスク形状を有するメッシュ噴霧器１２０ａの上面図と側面図の描画を示す。例では、振動アクチュエータ２２０は、穿孔板２１０の少なくとも一方の側に接合された圧電材料から作製されている。図２Ｂが最もよく示すように、振動アクチュエータ２２０は、穿孔板２１０を挟む上部圧電材料２２０ａ及び底部圧電材料２２０ｂから作製することができる。
【００３７】
図２Ｃ〜２Ｄは、メッシュ部２１２が２つの異なるメッシュ領域２１２ｂ及び２１２ｃを備える代替的な実施形態を示す。異なるメッシュ領域は、異なる細孔の形状、細孔の直径、細孔の間隔、材料の異なる厚さなど、異なる特性を有する場合がある。図２Ｃは、互いに対して同心円状に配置された２つの異なるメッシュ領域があることを示しているが、追加のメッシュ領域が存在する可能性があり、任意の数のパターンで配置されてもよい。
【００３８】
図２Ｅ〜２Ｆは、メッシュ部２１２が図２Ａのものより大きな細孔サイズを含む代替的な実施形態を示す。このような異なる細孔サイズは、図１ＣのＵＴＡ装置における第２のメッシュ噴霧器、または図１Ａにおけるスタンドアロンメッシュ噴霧器として用いてもよい。細孔はまた大きさが調整可能である。例えば、開口部に２つの重ね合わせされたメッシュがあってよく、露出した孔の形状を変更するために、一方をもう一方の上にスライドさせることにより、各細孔のオリフィスサイズを変更する。あるいは、孔の直径を変更するようにメッシュを伸ばす構成にすることもできる。また、メッシュは、孔を露出／閉塞させ、孔の形状の変化などを行うためのアドレス指定可能なＭＥＭＳ構造を備えることができる。
【００３９】
図２Ｇは、メッシュ部が所定のパターンで散乱される異なるメッシュ領域２１２を含む代替的な実施形態を示す。メッシュ領域２１２は、指定された方法でスプレーを標的とする穿孔板材料２１０内に散乱してもよい。図２Ｇは円形のパターンの５つのメッシュ領域を示すが、任意の数のパターンが、指定された用途または所望の処理に基づいて使用され得る。
【００４０】
コントローラ
例では、ＵＴＡ装置１００は、コントローラ１４０を使用して局所剤スプレー３２０を分配または排出するように構成され、電源１５０からメッシュ噴霧器１２０に送達されるエネルギーを制御する。
【００４１】
図３Ａは、メッシュ噴霧器１２０ｂ、第１のレオロジー特性を有する第１の局所剤で充填されるリザーバを有するカートリッジ１３０ａ、及びコントローラ１４０を有する超音波局所剤アプリケータ３００の図を示す。コントローラ１４０は、電源からメッシュ噴霧器に送達されるエネルギーを制御し、エネルギープロファイル１８０ａを利用して使用者の皮膚３１０に向かってスプレー３２０ａを作成するように構成され、エネルギープロファイル１８０ａは第１のレオロジー特性に基づいている。
【００４２】
図３Ｂは、メッシュ噴霧器１２０ｂ、第２のレオロジー特性を有する第２の局所剤で充填されるリザーバを有するカートリッジ１３０ｂ、及びコントローラ１４０を有する超音波局所剤アプリケータ３００の図を示す。コントローラ１４０は、電源からメッシュ噴霧器に送達されるエネルギーを制御し、エネルギープロファイル１８０ｂを使用してスプレー３２０ｂを作成するように構成され、エネルギープロファイル１８０ｂは第２のレオロジー特性に基づいている。
【００４３】
いくつかの実装形態では、コントローラ１４０は、インピーダンス検出器（上述）及びカートリッジセンサの少なくとも１つに基づいて、電源１５０からメッシュ噴霧器１２０にエネルギーを送出するためのエネルギープロファイル１８０を制御するように構成されている。カートリッジセンサには、以下の（ｉ）例えば接触センサに基づく可能性のあるカートリッジの存在、（ｉｉ）ロードセンサに基づく可能性があるカートリッジの流体の量、のうちの１つ以上を検出するためのセンサ回路が含まれる場合がある。いくつかの実施形態では、コントローラ１４０は、プログラマブルマイクロコントローラまたはプロセッサ（図示せず）を含み、これは、電源１５０からメッシュ噴霧器１２０に送達されるエネルギーを制御するように構成される。
【００４４】
例では、エネルギープロファイル１８０は、振動アクチュエータ２２０が周波数及び動力に基づいて超音波振動を生成するように構成されている。代表的なエネルギープロファイル１８０は、約１２０ＫＨｚの周波数と約５Ｗの動力を含むことができる。
【００４５】
例では、エネルギープロファイル１８０は、スプレー３２０の強度を変化させることができる。例では、エネルギープロファイル１８０は、局所剤または局所剤の粘度の種類に基づくことができる。例では、エネルギープロファイル１８０は、以下に説明するように識別子３２４またはカートリッジセンサを感知することによって決定することができる。例では、エネルギープロファイル１８０は、ユーザ制御インターフェイス１１４からの入力を受信することによって決定することができる。
【００４６】
図４は、例に従って異なるレオロジー特性を有する局所剤のセットに対するパワースペクトルのグラフを示す。線４１０は、リザーバにナノエマルジョン日焼け止めの処方を用いる所定のトランスデューサに対するインピーダンス曲線を示す。線４１２は、リザーバのＤＩ  Ｈ２Ｏを備える所定のトランスデューサに対するインピーダンス曲線を示す。線４１４は、リザーバのアルコール及び油系日焼け止め処方を備える所定のトランスデューサに対するインピーダンス曲線を示す。点４２０、４２２及び４２４は、局所剤の最小値のインピーダンスを示し、各処方に対するシステムの共振周波数を示し、これはひいては各式に最適な駆動周波数になる。
【００４７】
局所剤を分配する方法
図５Ａは、例に従って局所剤を分配するための方法５００ａを記載したフロー図である。この方法５００ａは、電源１５０からメッシュ噴霧器１２０へのエネルギーの送達を制御するステップ（５０２）を含む。ステップ５０２の例は、電源１５０からメッシュ噴霧器１２０へのエネルギーの送達を制御し、所定のエネルギープロファイル１８０を使用するように構成することができる。ステップ５０２の例は、コントローラ１４０を用いて、電源１５０から複数の細孔と振動アクチュエータを有する穿孔板を有するメッシュ噴霧器１２０へのエネルギープロファイル１８０に基づくエネルギーの送達を制御することができる。振動アクチュエータは、エネルギープロファイル１８０に基づいて超音波振動を生成するように構成され、超音波振動で振動する穿孔板に接触すると局所剤が噴霧され、噴霧された局所剤が局所剤を分配するスプレーを形成する。
【００４８】
例では、所定のエネルギープロファイル１８０を、ユーザ制御インターフェイス１１４を用いて設定することができる。別の例では、所定のエネルギープロファイル１８０をカートリッジにエンコードし、センサを使用して読み取ることができる。
【００４９】
噴霧器と組み合わせた局所剤のインピーダンススペクトルに基づく局所剤の分配
図５Ｂは、例に従って、噴霧器と接触する局所剤を含むシステムのインピーダンススペクトルに基づいて局所剤を分配するための方法５００ｂを記載したフロー図である。この方法５００ｂは、組み合わせた局所剤及び噴霧器システムのインピーダンススペクトルを読み取るステップ（５１０）、システムのインピーダンススペクトルに基づいてエネルギープロファイル１８０を決定するステップ（５１２）、及びエネルギープロファイルの決定に基づいて電源１５０からメッシュ噴霧器１２０へのエネルギーの送達を制御するステップ（５１４）を含む。ステップ５１２の例として、検出されたインピーダンスに基づいてエネルギープロファイル１８０を決定することは、エネルギープロファイル１８０の周波数値及び／または動力レベルの決定を含んでもよい。
【００５０】
カートリッジの種類に基づく局所剤の分配
図５Ｃは、例に従ってカートリッジの種類に基づいて局所剤を分配する方法５００ｃを記載したフロー図である。この方法５００ｃには、カートリッジの種類を検出するステップ（５２０）、カートリッジの種類に基づいてエネルギープロファイル１８０を決定するステップ（５２２）、及びエネルギープロファイル１８０に基づいて電源１５０からメッシュ噴霧器１２０へのエネルギーの送達を制御するステップ（５２４）を含む。
【００５１】
カートリッジの種類に基づいてエネルギープロファイル１８０を決定するステップ５２２の例は、識別子３２４によって識別される局所剤タイプに基づいてエネルギープロファイル１８０の周波数及び／または動力を変更することとできる。
【００５２】
カートリッジのステータスに基づく局所剤の分配
図５Ｄは、例に従ってカートリッジのステータスに基づいて局所剤を分配するための方法５００ｄを記述するフロー図である。この方法５００ｄは、カートリッジのステータスを検出するステップ（５３０）、カートリッジのステータスに基づいてエネルギープロファイル１８０を決定するステップ（５３２）、及び決定５３２またはエネルギープロファイル１８０に基づいて電源１５０からメッシュ噴霧器１２０へのエネルギーの送達を制御するステップ（５３４）を含む。必要に応じて、方法５００ｄは、さらに決定５３２に基づいて標識１１６を制御するステップ（５３６）を含むことができる。必要に応じて、方法５００ｄはさらにステップ５３０に戻るステップ（５３８）を含むことができる。
【００５３】
カートリッジのステータスに基づいてエネルギープロファイル１８０を決定するステップ５３２の例は、カートリッジセンサによって感知されたリザーバ１３０内の局所剤の量に基づいてエネルギープロファイル１８０の周波数及び／または動力を修正することとできる。
さらなる機能
【００５４】
例では、上記のカートリッジセンサは、カートリッジが挿入されていない、または正しく挿入されていないことを判別して、標識１１６を介してアラートを発することがある。また、カートリッジセンサがカートリッジセンサによって感知されたリザーバ１３０の局所剤の量が特定の量を下回っていることを検出した場合に、アラートが発せられてもよい。
【００５５】
さらに、パーソナル化粧電気機器１００の本体または取り外し可能ユニットの回路は、本体または取り外し可能なユニットと遠隔エンタープライズが互いを識別し、１つ以上の事前共有キーを交渉することを可能にする検出プロトコルを作動するように構成されてもよく、それによってさらに、本体または取り外し可能なユニットと遠隔ネットワークが暗号化及び匿名化された情報を交換できるようになる。検出プロトコルは、取り外し可能なユニットに含まれるアプリケータの種類に応じて、本体または取り外し可能なユニット及び遠隔ネットワークが治療レジメンの情報を交換することをさらに可能にし得る。
【００５６】
さらに、ＵＴＡ装置の回路は、遠隔クライアント装置がＵＴＡ装置を外部制御するように、通信インターフェイスを介して遠隔ネットワークと制御コマンドを交換し得るように構成されてもよい。例えば、ＵＴＡ装置の回路は、暗号化及び匿名化された情報を遠隔ネットワークと交換するように構成されてもよい。ＵＴＡ装置の回路は、クライアント装置と暗号化及び匿名化された情報を交換するためにクライアント装置と通信するように構成されてもよい。ＵＴＡ装置の回路は、暗号化された情報及び噴霧器制御情報をクライアント装置と交換するためにクライアント装置と通信するように構成されてもよい。ＵＴＡ装置の回路は、クライアント装置がアクティブで、ＵＴＡ装置の特定の範囲内にある場合に、クライアント装置の存在を検出するように構成することもできる。
【００５７】
態様では、上記のクライアント装置はネットワークと通信し、インターネット及びモノのインターネット（ＩＯＴ）へのユーザーインターフェイスのアクセスを有効にできる。理解できるように、ネットワークは、インターネットなどの公共のネットワーク、またはＬＡＮまたはＷＡＮネットワークなどの私的なネットワーク、またはその任意の組み合わせであってよく、ＰＳＴＮまたはＩＳＤＮサブネットワークを含めることもできる。ネットワークは、イーサネット（登録商標）ネットワークなどの有線化も可能で、ＥＤＧＥ、３Ｇ、４Ｇワイヤレスセルラーシステムを含むセルラーネットワークなどのワイヤレスでもよい。また、ワイヤレスネットワークは、ＷｉＦｉ、Ｂｌｕｅｔｏｏｔｈ（登録商標）、または公知の通信の他のいずれかのワイヤレス形式でもよい。例えば、ネットワークは、メディア、プロトコル、製品、個人アカウント、保存された使用状況データ、及びＵＴＡ装置に関連するその他のデータをホストするサーバーにアクセスできる。
【００５８】
上記の接続を達成するために、ＵＴＡ装置は、ＵＴＡ装置の外部の装置またはネットワークと通信するための外部通信インターフェイス（図示せず）を含み得る。例では、通信インターフェイス（Ｉ／Ｆ）には、クライアント装置との通信用の回路とハードウェアを含めることができる。通信インターフェイスは、ネットワークとのインターフェイスのために、ブロードコム由来のＢＣＭ４３３４２  Ｗｉ−Ｆｉ、周波数変調、Ｂｌｕｅｔｏｏｔｈ（登録商標）コンボチップなどのネットワークコントローラを含むことができる。
【００５９】
コントローラ１４０用のハードウェアは、小型化のために設計された回路にすることができる。例えば、コントローラ１４０は、当技術分野において理解されるＣＰＵであってもよい。例えば、プロセッサは、当業者によって認識されるように、Ａｐｐｌｅ  Ｉｎｃ．由来のＡＰＬ０７７８であっても、他のプロセッサのタイプであってもよい。あるいは、ＣＰＵは、当業者が認識するように、ＦＰＧＡ、ＡＳＩＣ、ＰＬＤ、組み込みプロセッサ、またはディスクリート論理回路の使用として実装されてもよい。また、ＣＰＵは、上記の発明のプロセスの指示を実行するために並行して協動する複数のプロセッサとして実装されてもよい。また、上述したクライアント装置は、上記と同様の回路及びハードウェアを有する場合もある。
【００６０】
明らかに、本開示の多数の改変及び変形版は、上記の教示に照らして可能である。したがって、添付された特許請求の範囲内で、本発明は、本明細書に具体的に記載されているもの以外の方法で実施されてもよいことが理解されるべきである。
【図１−１】
0006891290.tif 000002
【図１−２】
0006891290.tif 000003
【図２−１】
0006891290.tif 000004
【図２−２】
0006891290.tif 000005
【図３】
0006891290.tif 000006
【図４】
0006891290.tif 000007
【図５−１】
0006891290.tif 000008
【図５−２】
0006891290.tif 000009